(57)【要約】【課題】所定のテーマに対する入力が任意の場合であっても入力を促進し、サービスの利用促進を図る。【解決手段】サービスの利用者のプロフィール等を音声等により入力可能とする。各利用者のプロフィール等に対する音声等による入力が行われたページは、ボイスプロフページとして、他の利用者により閲覧可能となる。但し、他の利用者が再生することができるのは、プロフィールのうちの基本質問項目に対する音声入力と、利用者本人が入力済みの追加質問項目に対する音声入力のみとする。したがって、他の利用者の当該追加質問項目に対する音声入力を聞きたい利用者は、未入力の追加質問項目について音声入力を行うことが期待される。【選択図】図１
2014032448.tif 000002
【特許請求の範囲】
【請求項１】
複数の利用者のそれぞれが操作する複数の端末装置と、当該複数の端末装置のそれぞれと通信可能に接続され、当該複数の利用者に提示した複数のテーマのうち利用者から応答があった応答内容を管理する管理装置を含むサービス提供システムであって、
前記複数のテーマのそれぞれに対する利用者の応答内容を前記端末装置から取得する取得部と、
前記取得部で取得した応答内容を、対応するテーマと応答した利用者とに関連付けて管理する管理部と、
他の利用者の前記複数のテーマの一部または全部に対する応答内容を提示することを要求する要求利用者からの指示を受けて、前記一部または全部のテーマのうち当該要求利用者の応答内容が管理済みであるテーマに対する応答内容を当該要求利用者に提示可能とする制御部とを備える
ことを特徴とするサービス提供システム。
【請求項２】
前記制御部は、前記一部または全部のテーマのうち前記要求利用者の応答内容が未管理であるテーマに対して、当該テーマに対する応答を促すメッセージを前記要求利用者に提示することを特徴とする請求項１に記載のサービス提供システム。
【請求項３】
前記制御部は、前記一部または全部のテーマうち前記要求利用者の応答内容が管理済みか未管理かに応じて、応答内容を確認するためのボタンの表示態様を異ならせて表示させ、前記要求利用者の応答内容が未管理であるテーマに対応したボタンを操作不能とすることを特徴とする請求項１に記載のサービス提供システム。
【請求項４】
前記制御部は、前記複数のテーマのそれぞれごとに、当該テーマに対応した前記複数の利用者の応答内容の一部または全部を前記要求利用者に提示可能とすることを特徴とする請求項１乃至請求項３のいずれか一に記載のサービス提供システム。
【請求項５】
前記複数のテーマには特定テーマが含まれ、
前記制御部は、前記一部または全部のテーマのうち前記特定テーマについては、前記要求利用者の応答内容が管理済みか未管理かにかかわりなく、前記要求利用者に前記特定テーマに対する応答を促すメッセージを提示可能とすることを特徴とする請求項１乃至４のいずれかに記載のサービス提供システム。
【請求項６】
前記特定テーマは、所定のサービスを受けるための会員登録に必須の入力項目であり、前記制御部は、当該必須の入力項目であるテーマに対する応答内容の管理が完了した場合にのみ、前記会員登録を許可することを特徴とする請求項５に記載のサービス提供システム。
【請求項７】
前記取得部及び前記管理部を前記管理装置に具備し、
前記制御部を前記端末装置に具備し、
前記端末装置を操作する利用者の前記複数のテーマのそれぞれに対する応答内容が管理済みか未管理かに関する情報が端末装置で管理されていることを特徴とする請求項１乃至６のいずれかに記載のサービス提供システム。
【請求項８】
前記取得部及び前記管理部を前記管理装置に具備し、
前記制御部を前記端末装置に具備し、
前記端末装置を操作する利用者の前記複数のテーマのそれぞれに対する応答内容が管理済みか未管理かに関する情報を前記管理装置の前記管理部から取得することを特徴とする請求項１乃至６のいずれかに記載のサービス提供システム。
【請求項９】
複数の利用者のそれぞれが操作する複数の端末装置のそれぞれと通信可能に接続され、当該複数の利用者に提示した複数のテーマのうち利用者から応答があった応答内容を管理する管理装置であって、
前記複数のテーマのそれぞれに対する利用者の応答内容を前記端末装置から取得する取得部と、
前記取得部で取得した応答内容を、対応するテーマと応答した利用者とに関連付けて管理する管理部と、
他の利用者の前記複数のテーマの一部または全部に対する応答内容を提示することを要求する要求利用者からの指示を受けて、前記一部または全部のテーマのうち当該要求利用者の応答内容が管理済みであるテーマに対する応答内容を当該要求利用者が操作する前記端末装置に提示可能とする制御部とを備える
ことを特徴とする管理装置。
【請求項１０】
複数の利用者に提示した複数のテーマのうち利用者から応答があった応答内容を、対応するテーマと応答した利用者とに関連付けて管理する管理装置に通信可能に接続される端末装置であって、
他の利用者の前記複数のテーマの一部または全部に対する応答内容を提示することを要求する要求利用者からの指示を受ける入力部と、
前記指示を受けた前記一部または全部のテーマのうち当該要求利用者の応答内容が管理済みであるテーマに対する応答内容を当該要求利用者に提示可能とする制御部とを備える
ことを特徴とする端末装置。
【請求項１１】
複数の利用者のそれぞれが操作する複数の端末装置のそれぞれと通信可能に接続され、当該複数の利用者に提示した複数のテーマのうち利用者から応答があった応答内容を管理する管理装置の制御方法であって、
前記複数のテーマのそれぞれに対する利用者の応答内容を前記端末装置から取得し、
前記取得した応答内容を、対応するテーマと応答した利用者とに関連付けて管理し、
他の利用者の前記複数のテーマの一部または全部に対する応答内容を提示することを要求する要求利用者からの指示を受け、
前記指示を受けた前記一部または全部のテーマのうち当該要求利用者の応答内容が管理済みであるテーマに対する応答内容を当該要求利用者が操作する前記端末装置に提示可能とする
ことを特徴とする管理装置の制御方法。
【請求項１２】
複数の利用者に提示した複数のテーマのうち利用者から応答があった応答内容を、対応するテーマと応答した利用者とに関連付けて管理する管理装置に通信可能に接続される端末装置の制御方法であって、
他の利用者の前記複数のテーマの一部または全部に対する応答内容を提示することを要求する要求利用者からの指示を受け、
前記指示を受けた前記一部または全部のテーマのうち当該要求利用者の応答内容が管理済みであるテーマに対する応答内容を当該要求利用者に提示可能とする
ことを特徴とする端末装置の制御方法。
【請求項１３】
複数の利用者のそれぞれが操作する複数の端末装置のそれぞれと通信可能に接続され、当該複数の利用者に提示した複数のテーマのうち利用者から応答があった応答内容を管理するコンピュータを備える管理装置のプログラムであって、
前記コンピュータを、
前記複数のテーマのそれぞれに対する利用者の応答内容を前記端末装置から取得する取得部と、
前記取得部で取得した応答内容を、対応するテーマと応答した利用者とに関連付けて管理する管理部と、
他の利用者の前記複数のテーマの一部または全部に対する応答内容を提示することを要求する要求利用者からの指示を受けて、前記一部または全部のテーマのうち当該要求利用者の応答内容が管理済みであるテーマに対する応答内容を当該要求利用者が操作する前記端末装置に提示可能とする制御部として機能させる
ことを特徴とする管理装置のプログラム。
【請求項１４】
複数の利用者に提示した複数のテーマのうち利用者から応答があった応答内容を、対応するテーマと応答した利用者とに関連付けて管理する管理装置に通信可能に接続されるコンピュータを備える端末装置であって、
他の利用者の前記複数のテーマの一部または全部に対する応答内容を提示することを要求する要求利用者からの指示を受ける入力部と、
前記一部または全部のテーマのうち当該要求利用者の応答内容が管理済みであるテーマに対する応答内容を当該要求利用者に提示可能とする制御部として機能させる
ことを特徴とする端末装置のプログラム。
【発明の詳細な説明】
【技術分野】
【０００１】
本発明は、所定のサービスの利用を促進させる技術に関する。
【背景技術】
【０００２】
近年、インターネット上で提供するサービスが急速に普及している。この種のサービスの一つとして、互いのプロフィールを交換するサービスが知られている。例えば、特許文献１には、利用者のそれぞれが入力したプロフィールを利用者同士で交換することにより、利用者同士の親交を深める技術が開示されている。
【先行技術文献】
【特許文献】
【０００３】
【特許文献１】特開２００７−２９３７４７号公報
【発明の概要】
【発明が解決しようとする課題】
【０００４】
しかしながら、プロフィールの中には入力が任意のものがあるため、利用者間におけるプロフィールの充実度に差が生じてしまい、サービスの利点を十分に活かしていないという問題点があった。
本発明は、この点に鑑みてなされたものであり、所定のテーマに対する入力が任意の場合であっても入力を促進し、サービスの利用促進を図ることなどを解決課題とする。
【課題を解決するための手段】
【０００５】
以上の課題を解決するために本発明が採用する手段を以下に説明する。なお、本発明の理解を容易にするために以下では図面の参照符号を便宜的に括弧書で付記するが、本発明を図示の形態に限定する趣旨ではない。
【０００６】
上述した課題を解決するため、本発明に係るサービス提供システムは、複数の利用者のそれぞれが操作する複数の端末装置（２）と、当該複数の端末装置（２）のそれぞれと通信可能に接続され、当該複数の利用者に提示した複数のテーマのうち利用者から応答があった応答内容を管理する管理装置（１）を含むサービス提供システムであって、前記複数のテーマのそれぞれに対する利用者の応答内容を前記端末装置（２）から取得する取得部（１１）と、前記取得部（１１）で取得した応答内容を、対応するテーマと応答した利用者とに関連付けて管理する管理部（１２）と、他の利用者の前記複数のテーマの一部または全部に対する応答内容を提示することを要求する要求利用者からの指示を受けて、前記一部または全部のテーマのうち当該要求利用者の応答内容が管理済みであるテーマに対する応答内容を当該要求利用者に提示可能とする制御部（１３，２４）とを備えることを特徴とする。
この発明において、「管理済みであるテーマに対する応答内容を当該要求利用者に提示可能」とは、管理済みであるテーマに対する応答内容を前記要求利用者に直ちに提示する態様と、所定の確認操作を介して、管理済みであるテーマに対する応答内容を前記要求利用者に提示する態様とを含む概念である。制御部は管理装置と端末装置のどちらに具備してもよい。テーマに対する応答は、音声によるものでもよいし、テキストや画像等によるものでもよい。テーマは、プロフィール、質問項目、お題等を含む概念である。
【０００７】
上述したサービス提供システムにおいて、前記制御部（１３，２４）は、前記一部または全部のテーマのうち前記要求利用者の応答内容が未管理であるテーマに対して、当該テーマに対する応答を促すメッセージを前記要求利用者に提示するようにしてもよい。
この発明において、メッセージは、テキスト、音声、画像等によるメッセージを含むものである。
【０００８】
上述したサービス提供システムにおいて、前記制御部（１３，２４）は、前記一部または全部のテーマうち前記要求利用者の応答内容が管理済みか未管理かに応じて、応答内容を確認するためのボタンの表示態様を異ならせて表示させ、前記要求利用者の応答内容が未管理であるテーマに対応したボタンを操作不能としてもよい。
【０００９】
上述したサービス提供システムにおいて、前記制御部（１３，２４）は、前記複数のテーマのそれぞれごとに、当該テーマに対応した前記複数の利用者の応答内容の一部または全部を前記要求利用者に提示可能とするようにしてもよい。
【００１０】
上述したサービス提供システムにおいて、前記複数のテーマには特定テーマが含まれ、前記制御部（１３，２４）は、前記一部または全部のテーマのうち前記特定テーマについては、前記要求利用者の応答内容が管理済みか未管理かにかかわりなく、前記要求利用者に前記特定テーマに対する応答を促すメッセージを提示可能とするようにしてもよい。
【００１１】
上述したサービス提供システムにおいて、前記特定テーマは、所定のサービスを受けるための会員登録に必須の入力項目であり、前記制御部（１３，２４）は、当該必須の入力項目であるテーマに対する応答内容の管理が完了した場合にのみ、前記会員登録を許可するようにしてもよい。
【００１２】
上述したサービス提供システムにおいて、前記取得部（１１）及び前記管理部（１２）を前記管理装置（１）に具備し、前記制御部（２４）を前記端末装置（２）に具備し、前記端末装置（２）を操作する利用者の前記複数のテーマのそれぞれに対する応答内容が管理済みか未管理かに関する情報を端末装置（２）で管理するようにしてもよい。
【００１３】
上述したサービス提供システムにおいて、前記取得部（１１）及び前記管理部（１２）を前記管理装置（１）に具備し、前記制御部（２４）を前記端末装置（２）に具備し、前記端末装置（２）を操作する利用者の前記複数のテーマのそれぞれに対する応答内容が管理済みか未管理かに関する情報を前記管理装置（１）の前記管理部（１２）から取得するようにしてもよい。
【００１４】
上述した課題を解決するため、本発明に係る管理装置（１）は、複数の利用者のそれぞれが操作する複数の端末装置（２）のそれぞれと通信可能に接続され、当該複数の利用者に提示した複数のテーマのうち利用者から応答があった応答内容を管理する管理装置（１）であって、前記複数のテーマのそれぞれに対する利用者の応答内容を前記端末装置（２）から取得する取得部（１１）と、前記取得部（１１）で取得した応答内容を、対応するテーマと応答した利用者とに関連付けて管理する管理部（１２）と、他の利用者の前記複数のテーマの一部または全部に対する応答内容を提示することを要求する要求利用者からの指示を受けて、前記一部または全部のテーマのうち当該要求利用者の応答内容が管理済みであるテーマに対する応答内容を当該要求利用者が操作する前記端末装置（２）に提示可能とする制御部（１３）とを備えることを特徴とする。
【００１５】
上述した課題を解決するため、本発明に係る端末装置（２）は、複数の利用者に提示した複数のテーマのうち利用者から応答があった応答内容を、対応するテーマと応答した利用者とに関連付けて管理する管理装置（１）に通信可能に接続される端末装置（２）であって、
他の利用者の前記複数のテーマの一部または全部に対する応答内容を提示することを要求する要求利用者からの指示を受ける入力部（２１）と、前記指示を受けた前記一部または全部のテーマのうち当該要求利用者の応答内容が管理済みであるテーマに対する応答内容を当該要求利用者に提示可能とする制御部（２４）とを備えることを特徴とする。
【００１６】
上述した課題を解決するため、本発明に係る管理装置（１）の制御方法は、複数の利用者のそれぞれが操作する複数の端末装置（２）のそれぞれと通信可能に接続され、当該複数の利用者に提示した複数のテーマのうち利用者から応答があった応答内容を管理する管理装置（１）の制御方法であって、前記複数のテーマのそれぞれに対する利用者の応答内容を前記端末装置（２）から取得し、前記取得した応答内容を、対応するテーマと応答した利用者とに関連付けて管理し、他の利用者の前記複数のテーマの一部または全部に対する応答内容を提示することを要求する要求利用者からの指示を受け、前記指示を受けた前記一部または全部のテーマのうち当該要求利用者の応答内容が管理済みであるテーマに対する応答内容を当該要求利用者が操作する前記端末装置（２）に提示可能とすることを特徴とする。
【００１７】
上述した課題を解決するため、本発明に係る端末装置（２）の制御方法は、複数の利用者に提示した複数のテーマのうち利用者から応答があった応答内容を、対応するテーマと応答した利用者とに関連付けて管理する管理装置（１）に通信可能に接続される端末装置（２）の制御方法であって、他の利用者の前記複数のテーマの一部または全部に対する応答内容を提示することを要求する要求利用者からの指示を受け、前記指示を受けた前記一部または全部のテーマのうち当該要求利用者の応答内容が管理済みであるテーマに対する応答内容を当該要求利用者に提示可能とすることを特徴とする。
【００１８】
上述した課題を解決するため、本発明に係る管理装置（１）のプログラムは、複数の利用者のそれぞれが操作する複数の端末装置（２）のそれぞれと通信可能に接続され、当該複数の利用者に提示した複数のテーマのうち利用者から応答があった応答内容を管理するコンピュータ（３０）を備える管理装置（１）のプログラムであって、前記コンピュータ（３０）を、前記複数のテーマのそれぞれに対する利用者の応答内容を前記端末装置（２）から取得する取得部（１１）と、前記取得部（１１）で取得した応答内容を、対応するテーマと応答した利用者とに関連付けて管理する管理部（１２）と、他の利用者の前記複数のテーマの一部または全部に対する応答内容を提示することを要求する要求利用者からの指示を受けて、前記一部または全部のテーマのうち当該要求利用者の応答内容が管理済みであるテーマに対する応答内容を当該要求利用者が操作する前記端末装置（２）に提示可能とする制御部（１３）として機能させることを特徴とする。
【００１９】
上述した課題を解決するため、本発明に係る端末装置（２）のプログラムは、複数の利用者に提示した複数のテーマのうち利用者から応答があった応答内容を、対応するテーマと応答した利用者とに関連付けて管理する管理装置（１）に通信可能に接続されるコンピュータ（３０）を備える端末装置（２）であって、他の利用者の前記複数のテーマの一部または全部に対する応答内容を提示することを要求する要求利用者からの指示を受ける入力部（２１）と、前記一部または全部のテーマのうち当該要求利用者の応答内容が管理済みであるテーマに対する応答内容を当該要求利用者に提示可能とする制御部（２４）として機能させることを特徴とする。
【００２０】
上記プログラムは記録媒体に記憶させても良い。この記録媒体を用いれば、例えば上記コンピュータに上記プログラムをインストールすることができる。ここで、上記プログラムを記憶した記録媒体は、ＣＤ−ＲＯＭ等の非一過性の記録媒体であっても良い。
【図面の簡単な説明】
【００２１】
【図１】本発明の第１実施形態に係るサービス提供システムのブロック図である。
【図２】利用者情報テーブルのデータ構造の一例を示す説明図である。
【図３】管理サーバの構成を示すブロック図である。
【図４】端末装置の構成を示すブロック図である。
【図５】端末装置のトップページの一例を示す説明図である。
【図６】端末装置の新規登録ページの一例を示す説明図である。
【図７】端末装置の新規登録ページの一例を示す説明図である。
【図８】端末装置のマイプロフページの一例を示す説明図である。
【図９】端末装置のマイプロフページの一例を示す説明図である。
【図１０】ボイスログテーブルのデータ構造の一例を示す説明図である。
【図１１】ボイスマスターテーブルのデータ構造の一例を示す説明図である。
【図１２】端末装置のボイスプロフページの一例を示す説明図である。
【図１３】端末装置のボイスプロフページの一例を示す説明図である。
【図１４】端末装置のボイスページの一例を示す説明図である。
【図１５】端末装置のアラートビューの一例を示す説明図である。
【図１６】再生制限処理に関するサービス提供システムの動作シーケンスを示すシーケンス図である。
【図１７】再生制限処理に関するサービス提供システムの動作シーケンスを示すシーケンス図である。
【図１８】本発明の第２実施形態に係るサービス提供システムのブロック図である。
【図１９】本発明の第２実施形態に係るサービス提供システムのブロック図である。
【発明を実施するための形態】
【００２２】
以下、実施形態として、本発明に係る管理サーバを用いたサービス提供システムについて、図面を参照しつつ説明する。
＜第１実施形態＞
＜１．サービス提供システムの構成＞
図１は、本発明の実施形態に係るサービス提供システム１００のブロック図である。このサービス提供システム１００は、インターネットなどの通信網ＮＥＴを介して、音声プロフィールサービスを提供する管理サーバ１と、利用者の端末装置２とを備える。
端末装置２には、音声プロフィールサービス用のネイティブアプリケーションがインストールされており、利用者は当該ネイティブアプリケーションを利用することにより、各自のプロフィール等をテキストや音声で入力することができる。また、利用者は、前記ネイティブアプリケーションを利用することにより、他の利用者が入力したプロフィール等を閲覧したり視聴することができる。管理サーバ１は、音声プロフィールサービスの利用者の情報や、利用者が入力した内容を管理している。
【００２３】
利用者の端末装置２は、通信網ＮＥＴを介した通信が可能であり、例えば、パーソナルコンピュータ、携帯電話機、スマートフォン、タブレット端末などが該当する。
管理サーバ１は、特定のサービスを提供する。本実施形態の管理サーバ１は、音声プロフィールサービスを利用者に提供する。本実施形態では、音声プロフィールサービスの提供を一例と説明するが、管理サーバ１は、ゴルフ情報アプリケーションの提供、ゲームなどのアプリケーションの提供、ホテルの予約などを含む旅行情報の提供、コンサート情報の提供、サービスや物品の販売を提供するものであってもよい。
【００２４】
図１を参照して、管理サーバ１の機能を説明する。管理サーバ１は、利用者情報テーブルＴＢＬ１１、ボイスログテーブルＴＢＬ１３、及び、ボイスマスターテーブルＴＢＬ１５を記憶した記憶部１５を備える。また、記憶部１５には、管理サーバ１を制御するプログラムが記憶されている。利用者情報テーブルＴＢＬ１１には、音声プロフィールサービスの利用者を一意に識別する識別情報ＵＩＤなどが格納されている。ボイスログテーブルＴＢＬ１３には、利用者が入力した音声に関する情報が記録される。ボイスマスターテーブルＴＢＬ１５には、各種設定値が記録されている。
【００２５】
管理サーバ１は、複数のテーマのそれぞれに対する利用者の応答の内容を端末装置２から取得する取得部１１と、取得部１１で前記複数のテーマのうちのいずれかのテーマに対する応答の内容を取得した場合に、当該応答の内容を当該テーマと当該応答を行った前記利用者とに関連付けて管理する管理部１２と上述した記憶部１５とを備えている。
【００２６】
図１を参照して、端末装置２の機能を説明する。端末装置２は、入力部２１と、表示部２３と、制御部２４とを備える。入力部２１は、プロフィール、お題、あるいは自由なメッセージを音声により入力することができる。また、一部のプロフィールについてはテキストでも入力を行うことができる。表示部２３は、利用者のプロフィール、お題、あるいは自由なメッセージにアクセスするための画面を表示したり、あるいは、プロフィールやメッセージの録音または再生のボタンを表示したり、各画面に遷移するためのアイコン等を表示することができる。制御部２４は、利用者本人が応答した所定のプロフィールについて、他の利用者からの再生要求があった時に、当該プロフィールについて当該他の利用者自身が応答済みであれば、当該プロフィールを再生できるようにする。しかし、制御部２４は、当該プロフィールについて当該他の利用者自身が未応答である場合には、当該プロフィールを再生できないようにする。
【００２７】
図２に利用者情報テーブルＴＢＬ１１のデータ構造を示す。利用者情報テーブルＴＢＬ１１には登録情報として複数のレコードが記録されている。１つのレコードは、利用者を一意に識別する識別情報ＵＩＤ、登録日、プロフィール情報を含む。
【００２８】
プロフィール情報は、ニックネーム、プロフＩＤ、プロフィール画像の格納先、及び、プロフィールテキストを含む。ニックネームは、利用者が自由に決めることができる。ニックネームは、音声プロフィールサービスの様々な画面において利用者を示す情報として参照される。プロフＩＤは、他の利用者のプロフＩＤと重複しない限り、利用者が自由に決めることができる。本実施形態の音声プロフィールサービスにおいては、音声プロフィールサービス専用のネイティブアプリケーションをインストールしていなくても、ブラウザによって利用者のボイスプロフページを参照できるようになっているが、そのボイスプロフページのＵＲＬには、各自のプロフＩＤが含まれるようになっている。プロフィール画像は、所定のサイズ及び形式であれば、利用者が自由に選択することができる。利用者が選択したプロフィール画像は、管理サーバ１によって取得され、記憶部１５に保管される。なお、プロフィール画像は、管理サーバ１の外部に設けられた記憶部に保管されるようにしてもよい。プロフィール情報に含まれるプロフィール画像の格納先は、このようなプロフィール画像の保管先のアドレスを示すものである。プロフィールには利用者が自己紹介等を自由にテキストで入力することができるが、プロフィールテキストは、このような入力の内容に対応するテキストデータである。
【００２９】
なお、利用者情報テーブルＴＢＬ１１のレコードには、その他の情報を記録してもよい。また、利用者情報テーブルＴＢＬ１１に記憶すべき情報として、利用者の識別情報ＵＩＤは必須であるが、その他の情報は省略してもよい。さらに、利用者情報テーブルＴＢＬ１１をキーとなる情報（例えば、識別情報ＵＩＤ）で紐づけた複数のテーブルで構成し、リレーショナルデータベースとしてもよい。また、プログラムからアクセスする場合に、複数のテーブルを結合させて１つのテーブルであるかのように扱うようにしてもよい。具体的には、利用者情報テーブルＴＢＬ１１でプロフィール情報を記憶せず、識別情報ＵＩＤとプロフィール情報とを紐付けたテーブルを具備してもよい。すなわち、登録日やプロフィール情報などの各種情報が、識別情報ＵＩＤと紐付けられて管理されていればよく、識別情報ＵＩＤと各種情報が直接的に紐付けられずに、他の情報を介して間接的に紐付けられていても良いのはもちろんである。
【００３０】
図３に管理サーバ１の構成を示す。この図に示すように、管理サーバ１は、装置全体を制御するＣＰＵ（Central Processing Unit）３０、ＣＰＵ３０の作業領域として機能するＲＡＭ（Random Access Memory）３１、ブートプログラムなどを記憶したＲＯＭ（Read Only Memory）３２、各種のプログラムやデータを記憶するハードディスク３３、キーボードやマウスなどを含む入力部３４、テキストや画像を表示するディスプレイ３５、通信網ＮＥＴを介して外部の装置と通信を行う通信インターフェース３６、及びコンパクトディスクなどの情報記録媒体を読み取る読取装置３７を備える。ハードディスク３３は、上述した記憶部１５に相当し、利用者情報テーブルＴＢＬ１１、ボイスログテーブルＴＢＬ１３、及び、ボイスマスターテーブルＴＢＬ１５を格納する。
【００３１】
図４に端末装置２の構成を示す。端末装置２は、装置全体を制御するＣＰＵ４０、ＣＰＵ４０の作業領域として機能するＲＡＭ４１、ブートプログラムなどを記憶したＲＯＭ４２、各種のプログラムやデータを記憶する記憶装置４３、テンキーなどを含む入力部４４、テキストや画像を表示するディスプレイ４５、及び通信網ＮＥＴを介して外部の装置と通信を行う通信インターフェース４６を備える。なお、入力部がタッチパネルである場合は、ディスプレイ４５がタッチパネルである入力部４４を兼ねることとなる。入力部４４は単一のデバイスで構成しても、複数のデバイスを組み合わせて構成しても良い。
【００３２】
＜２．サービス提供システムの動作＞
本実施形態のサービス提供システム１００では、管理サーバ１によって提供される音声プロフィールサービスを、利用者の端末装置２にインストールしたネイティブアプリケーションによって利用することが可能であり、各利用者は、プロフィール等を音声等で入力することができ、他の利用者の音声等によるプロフィール等を再生して聞くことができる。なお、本実施形態における音声プロフィールサービスは、端末装置２で起動させたブラウザによっても利用することができ、利用者の音声等によるプロフィール等を再生して聞くことができる。
以下、音声プロフィールサービスで提供される各ページと、所定の場合にプロフィール等の再生を制限する再生制限処理について説明する。
【００３３】
＜２−１：トップページ＞
図５に本実施形態の音声プロフィールサービスのトップページＰ１の一例を示す。端末装置２にインストールされている音声プロフィールサービス用のネイティブアプリケーションを起動させて最初に表示される画面が図５に示すトップページＰ１である。
ネイティブアプリケーションが起動されると、端末装置２は管理サーバ１に対して人気プロフィール等の情報を要求する。この要求を受信した管理サーバ１は、端末装置２に対して人気プロフィール等の情報を送信する。そして、人気プロフィール等の情報を取得した端末装置２は、図５に示すトップページＰ１を表示させる。
トップページＰ１は、図５に示すように、タイトル表示領域Ａ１、検索窓Ａ２、上部バナーＡ３、選択タブＡ４、プロフィール紹介バナー表示領域Ａ５、下部バナーＡ７、メニューバーＡ８を備えている。
【００３４】
タイトル表示領域Ａ１には、そのページのタイトルが表示される。図５に示す例では、プロフィールを略した「プロフ」の文字が表示されている。検索窓Ａ２は、検索キーワードを入力して検索を実行できる領域であり、検索キーワードとしては、利用者のニックネームや後述するプロフＩＤが挙げられる。
上部バナーＡ３には、キャンペーンページへジャンプするバナー広告や、プロフィール一覧ページにジャンプするバナー等が表示される。複数のバナーがある場合には、フリック等により各バナーを表示させるようにすればよい。選択タブＡ４は、プロフィール紹介バナーのランキングの対象期間を選択するためのタブで、図５に示す例では、「今日」、「今週」、「すべて」の３種類のタブが表示される。
【００３５】
プロフィール紹介バナー表示領域Ａ５には、プロフィール紹介バナーＡ６がランキング表示される。プロフィール紹介バナー表示領域Ａ５はスクロールが可能になっており、多数のプロフィール紹介バナーＡ６を表示させることができる。ランキングは、例えばプロフィールページへのアクセス数の多い順とする。
プロフィール紹介バナーＡ６は、利用者のプロフィール画像Ａ９、ニックネーム表示Ａ１０、いいね数表示Ａ１１、コメント数表示Ａ１２、再生ボタンアイコンＡ１３、再生回数表示Ａ１４を備えている。プロフィール紹介バナーＡ６を押下することにより、各利用者のプロフィールページであるボイスプロフページへジャンプするようになっている。なお、再生ボタンアイコンＡ１３は、音声によるプロフィール入力が完了済みであることを示すもので、トップページＰ１においては、再生ボタンアイコンＡ１３を押下しても各利用者のプロフィールページであるボイスプロフページへジャンプする。但し、再生ボタンアイコンＡ１３を押下することにより、複数の音声プロフィールを連続再生させるようにしてもよいし、複数の音声プロフィールのうちの代表的な音声プロフィールを再生させるようにしてもよい。
【００３６】
下部バナーＡ７は、音声プロフィールサービスにおける会員登録が未登録の場合にのみ表示されるもので、下部バナーＡ７を押下することにより、新規登録を行うページにジャンプするようになっている。
メニューバーＡ８は、プロフアイコンＡ１５、ボイスアイコンＡ１６、お気に入りアイコンＡ１７、お知らせアイコンＡ１８、及び、マイプロフアイコンＡ１９を備えている。図５に示す例では、プロフアイコンＡ１５が選択された状態を示している。ボイスアイコンＡ１６が押下されると、ボイス一覧ページにジャンプするようになっている。ボイス一覧ページは、所定のお題に対する音声による回答や、利用者が自由に音声入力した内容等を再生可能なボイスページを一覧で紹介するページである。お気に入りアイコンＡ１６が押下されると、お気に入り登録したボイスページやボイスプロフページが一覧表示されるお気に入りページにジャンプするようになっている。お知らせアイコンＡ１７が押下されると、音声プロフィールサービスからのお知らせ等を表示するお知らせページにジャンプするようになっている。マイプロフアイコンＡ１８が押下されると、利用者本人のプロフィールページであるマイプロフページにジャンプするようになっている。
【００３７】
＜２−２：新規登録ページ＞
図６に音声プロフィールサービスへの新規登録時に表示される新規登録ページＰ２の一例を示す。例えば、図５に示す下部バナーＡ７を押下することにより、図６に示す新規登録時ページＰ２が表示される。なお、図６には新規登録時ページＰ２の全体を示しているが、端末装置２の表示部には、その表示部の大きさに応じて新規登録時ページＰ２の一部が表示され、スクロールを行うことにより、新規登録時ページＰ２の他の部分を表示させることができる。
新規登録ページＰ２は、タイトル表示領域Ｂ１、プロフィール編集領域Ｂ２、プロフボイス作成領域Ｂ１１、利用規約同意確認表示領域Ｂ１４、及び、登録ボタンＢ１５を備えている。
タイトル表示領域Ｂ１、そのページのタイトルが表示される。図６に示す例では、マイプロフィールを略した「マイプロフ」の文字が表示されている。なお、新規登録が完了した後に自分のプロフィールページとして表示されるページにもタイトルにはマイプロフと表示される。
【００３８】
プロフィール編集領域Ｂ２は、ニックネーム編集領域Ｂ３、プロフＩＤ表示領域Ｂ４、プロフィール画像編集領域Ｂ５、及び、プロフィールテキスト編集領域Ｂ６を備えている。
ニックネーム編集領域Ｂ３には、アイコンＢ７が表示されており、このアイコンＢ７を押下することによりテキスト入力画面が開き、ニックネームの入力が可能になっている。
プロフＩＤ表示領域Ｂ４には、アイコンＢ８が表示されており、このアイコンＢ８を押下することによりテキスト入力画面が開き、プロフＩＤの入力が可能になっている。プロフＩＤは、例えば、半角英数字１２文字以内で入力する。
プロフィール画像編集領域Ｂ５には、アイコンＢ９が表示されており、このアイコンＢ９を押下することにより、写真撮影または写真選択の画面が表示される。したがって、その場で写真撮影をしてプロフィール画像としてもよいし、予め撮影済みの写真等をプロフィール画像としてもよい。
プロフィールテキスト編集領域Ｂ６には、アイコンＢ１０が表示されており、このアイコンＢ１０を押下することにより、テキスト入力画面が表示され、１６０文字内で自由にプロフィールに関する文章を入力することができる。
【００３９】
プロフボイス作成領域Ｂ１１は、基本質問項目入力バナーＢ１２を備えている。基本質問項目入力バナー１２は、基本質問項目１から基本質問項目１０までの１０種類に分かれており、それぞれに録音状態表示アイコンＢ１３が表示されている。
それぞれの基本質問項目入力バナー１２を押下することにより、質問事項とそれに対する音声入力が可能な画面が表示される。入力が完了すると、録音状態表示アイコンＢ１３は、録音済みの状態を示す表示に変更される。図６に示す状態では、全ての質問項目に対する音声入力が未入力である状態を示している。
【００４０】
利用規約同意確認表示領域Ｂ１４には、チェックボタンと利用規約がリンク表示されており、このチェックボタンを押下してチェックした状態にしないと登録ができないようになっている。
登録ボタンＢ１５は、プロフィール編集領域Ｂ２に表示されている全ての編集項目に入力し、かつ、プロフボイス作成領域Ｂ１１に表示されている全ての基本質問項目に音声入力を行わないと有効にならない。つまり、これらの項目に一つでも未入力がある場合には、登録ボタンＢ１５は薄く表示され、押下することができない。しかし、全ての項目への入力が完了した後は、登録ボタンＢ１５は他のバナー等と同様に濃く表示され、押下することができる。
つまり、本実施形態においては、基本質問項目への音声入力が音声プロフィールサービスの会員登録に必須の入力項目となっており、全ての基本質問項目への音声入力を完了させることが会員登録の条件となっている。
【００４１】
図７に全ての項目への入力が完了した状態の新規登録時ページＰ２の全体を示す。図７に示すように、ニックネーム編集領域Ｂ３、プロフＩＤ表示領域Ｂ４、プロフィール画像編集領域Ｂ５、及び、プロフィールテキスト編集領域Ｂ６のそれぞれには入力した内容が表示される。但し、プロフィールテキスト編集領域Ｂ６は１６０文字の全てを表示することができないので、その一部が表示される。また、プロフボイス作成領域Ｂ１１の録音状態表示アイコンＢ１３は図７に示すように表示態様が変更される。
【００４２】
＜２−３：マイプロフページ＞
図８及び図９に利用者本人のプロフィールページであるマイプロフページＰ３の一例を示す。マイプロフページＰ３は表示項目が多いため、図８と図９に分けて表示している。なお、図８及び図９にはマイプロフページＰ３の全体を示しているが、端末装置２の表示部には、その表示部の大きさに応じてマイプロフページＰ３の一部が表示され、スクロールを行うことにより、マイプロフページＰ３の他の部分を表示させることができる。
また、図８び図９に示すマイプロフページＰ３は、利用者本人が閲覧可能なページであり、他の利用者がこの利用者本人のマイプロフページを閲覧する場合には後述するボイスプロフページが表示される。
マイプロフページＰ３は、図７に示す全項目入力済みの新規登録ページＰ２で登録ボタンＢ１５を押下した場合、あるいは、図５に示すトップページＰ１等で、メニューバーＡ８のマイプロフアイコンＡ１９を押下することにより表示される。
マイプロフページＰ３は、タイトル表示領域Ｃ１、プロフィール表示領域Ｃ２、プロフＩＤ表示領域Ｃ３、ＵＲＬ表示領域Ｃ４、メニュー表示領域Ｃ５、基本プロフボイス表示領域Ｃ６、追加プロフボイス表示領域Ｃ７、投稿ボイス表示領域Ｃ８、設定項目表示領域Ｃ９、及び、トップページＰ１等と共通のメニューバーＡ８を備えている。
【００４３】
タイトル表示領域Ｃ１には、そのページのタイトルが表示される。図８に示す例では、新規登録ページＰ２と同様に「マイプロフ」の文字が表示されている。
プロフィール表示領域Ｃ２には、プロフィール画像Ｃ１０、ニックネーム表示Ｃ１１、テキストによるプロフィール表示Ｃ１２、プロフィール編集ボタンＣ１３が表示される。プロフィール画像Ｃ１０、ニックネーム表示Ｃ１１、及び、テキストによるプロフィール表示Ｃ１２は、図７に示す新規登録ページＰ２で設定した内容がそのまま用いられる。プロフィール編集ボタンＣ１３を押下すると、プロフィール編集ページ（図示せず）にジャンプし、プロフィール画像、ニックネーム、及び、テキストによるプロフィールの編集が可能になる。
プロフＩＤ表示領域Ｃ３には、図７に示す新規登録ページＰ２で設定したプロフＩＤが表示され、ＵＲＬ表示領域Ｃ４には、当該プロフＩＤを一部に含むボイスプロフページのＵＲＬが表示される。当該ＵＲＬにアクセスすることにより、音声プロフィールサービス専用のネイティブアプリケーションをインストールしていないなど、音声プロフィールサービスに登録していない場合でも、ブラウザによりボイスプロフページを閲覧できるようになっている。但し、当該ＵＲＬ経由で表示されるボイスプロフページにおいては、基本プロフボイスの再生のみが可能で、他の音声は再生できないようになっている。
メニュー表示領域Ｃ５には、プロフボイス、投稿ボイス、及び、設定という表示が行われており、それぞれの表示を押下することにより、基本プロフボイス表示領域Ｃ６の先頭、投稿ボイス表示領域Ｃ８の先頭、設定項目表示領域Ｃ９の先頭にジャンプするようになっている。
【００４４】
基本プロフボイス表示領域Ｃ６には、図７に示す新規登録ページＰ２で入力した基本質問項目に対応する基本質問項目表示バナーＣ１４が表示される。図８には基本質問項目の一部しか表示されていないが、画面をスクロールすることにより、残りの基本質問項目も表示されるようになっている。また、基本質問項目表示バナーＣ１４は、質問項目表示Ｃ１５、いいね数表示Ｃ１６、コメント数表示Ｃ１７、録音状態表示アイコンＣ１８、及び、再生回数表示Ｃ１９を備えている。図８に示す基本質問項目表示バナーＣ１４の録音状態表示アイコンＣ１８は、対応する質問項目に対する回答が入力済みであることを示している。基本質問項目表示バナーＣ１４のそれぞれを押下することにより、後述するボイスページにジャンプし、質問項目表示Ｃ１５の質問項目に対する音声による回答を再生することが可能になっている。
追加プロフボイス表示領域Ｃ７には、基本質問項目以外の追加の質問項目を示す追加質問項目表示バナーＣ２０が表示される。図８には追加質問項目の一部しか表示されていないが、画面をスクロールすることにより、残りの追加質問項目も表示されるようになってい。また、追加質問項目表示バナーＣ２０は、追加質問項目表示Ｃ２１、いいね数表示Ｃ２２、コメント数表示Ｃ２３、録音状態表示アイコンＣ２４、及び、再生回数表示Ｃ２５を備えている。図８に示す追加質問項目表示バナーＣ２０の録音状態表示アイコンＣ２４は、対応する追加質問項目に対する回答が未入力であることを示している。未入力の追加質問項目表示バナーＣ２０を押下することにより、追加質問事項とそれに対する音声入力が可能な画面（図示せず）が表示される。入力が完了すると、録音状態表示アイコンＣ２４は、録音状態表示アイコンＣ１８のように録音済みの状態を示す表示に変更される。入力済みの追加質問項目表示バナーＣ２０のそれぞれを押下することにより、後述するボイスページにジャンプし、追加質問項目表示Ｃ２１の質問項目に対する音声による回答を再生することが可能になっている。
【００４５】
図９に示す投稿ボイス表示領域Ｃ８は、投稿ボイス表示バナーＣ３０、投稿テーマ表示Ｃ３１、いいね数表示Ｃ３２、コメント数表示Ｃ３３、録音状態表示アイコンＣ３４、再生回数表示Ｃ３５を備えている。
投稿ボイスは、基本質問項目や追加質問項目以外の自由な発言や、所定のお題に対する各利用者の音声による回答である。投稿テーマ表示Ｃ３１には、自由な発言であるFree Voice、あるいは所定のお題が表示される。録音状態表示アイコンＣ３４は、基本質問項目表示バナーＣ１４及び追加質問項目表示バナーＣ２０に表示されるアイコンと同様である。入力済みの投稿ボイス表示バナーＣ３０のそれぞれを押下することにより、後述するボイスページにジャンプし、投稿テーマ表示Ｃ３１の質問項目に対する音声による回答を再生することが可能になっている。マイプロフページＰ３等の最下部に表示されるメニューバーＡ８のボイスアイコンＡ１６を押下してボイス一覧ページを表示させ、ボイス一覧ページに表示されるボイス投稿バナー、あるいは、イベントタブを選択することにより表示される所定のお題のバナーを押下することにより、音声入力が可能な画面（図示せず）が表示される。この画面において、投稿ボイスの入力を行い、入力が完了すると、録音状態表示アイコンＣ３４は、図８に示す録音状態表示アイコンＣ２４のように未入力の状態を示す表示から、図９に示すような録音済みの状態を示す表示に変更される。
図９に示す投稿ボイス表示領域Ｃ８には、一部の投稿ボイスしか表示されていないが、画面をスクロールすることにより、残りの投稿ボイスも表示されるようになっている。また、投稿ボイス表示領域Ｃ８に表示される「すべてのボイスの投稿を見る」ボタンＣ３６を押下することにより、すべてのボイスの投稿を見ることができる。
【００４６】
設定項目表示領域Ｃ９には、友達にプロフを教えるバナーＣ４０、音声出力設定バナーＣ４１、ＳＮＳ連携バナーＣ４２、ブロックリストバナーＣ４３、及び、データ削除バナーＣ４４が表示される。
友達にプロフを教えるバナーＣ４０が押下されると、友達にプロフを教えるページ（図示せず）にジャンプするようになっている。友達にプロフを教えるページでは、メールで教える方法、いくつかのＳＮＳに投稿する方法、及び、ＱＲコード（登録商標）で教える方法を選択できるようになっており、音声プロフィールサービスをまだ利用していない友達に、音声プロフィールサイトを紹介することができる。
音声出力設定バナーＣ４１が押下されると、音声出力設定ページ（図示せず）にジャンプするようになっている。音声出力設定ページでは、スピーカー設定、フォンスピーカー設定、ヘッドフォン設定などを行うことができる。
ＳＮＳ連携バナーＣ４２が押下されると、ＳＮＳ連携ページ（図示せず）にジャンプするようになっている。ＳＮＳ連携ページでは、いくつかのＳＮＳとの連携を設定することができ、追加質問事項に対して音声で回答を行ったり、投稿ボイスとして音声による回答を投稿すると、連携を設定したＳＮＳにその旨が投稿され、前記ＵＲＬ表示領域Ｃ４に表示されるボイスプロフページのＵＲＬがリンク表示されるようになっている。その結果、音声プロフィールサービスをまだ利用していない友達に、音声プロフィールサービスを紹介することができる。
ブロックリストバナーＣ４３が押下されると、ブロックリストページ（図示せず）が表示されるようになっている。ブロックリストページでは、ブロックした利用者が一覧表示されるようになっている。ブロックは、後述するボイスプロフページにおいて設定することができる。
データ削除バナーＣ４４が押下されると、データ削除ページ（図示せず）にジャンプするようになっている。データ削除ページでは、削除ボタンが表示され、当該削除ボタンが押下されることにより、今まで入力した全てのデータが削除される。
【００４７】
マイプロフページＰ３の最下部には、トップページＰ１等と共通のメニューバーＡ８が表示される。メニューバーＡ８は、プロフアイコンＡ１５、ボイスアイコンＡ１６、お気に入りアイコンＡ１７、お知らせアイコンＡ１８、及び、マイプロフアイコンＡ１９を備えている。それぞれのアイコンが押下された際のジャンプ先のページはトップページＰ１等と同様である。
【００４８】
＜２−４：ログ管理処理＞
次に、図１０及び図１１を参照して、本実施形態のログ管理処理について説明する。上述したように、本実施形態の音声プロフィールサービスでは、基本質問項目に対する回答、追加質問項目に対する回答、及び、投稿ボイスの大きく分けて３種類の音声入力が可能となっているが、全ての音声入力のログは、図１０に示すボイスログテーブルＴＢＬ１３に記録される。
ボイスログテーブルＴＢＬ１３は、ボイスＩＤフィールドＦ１、識別情報ＵＩＤフィールドＦ２、kindフィールドＦ３、日時フィールドＦ４、位置情報フィールドＦ５、及び、ファイル格納先フィールドＦ６を備えている。
ボイスＩＤフィールドＦ１には、それぞれの音声入力を一意に識別する情報であるボイスＩＤが記録される。ボイスＩＤは、音声入力された順序で連続的に付与される。
識別情報ＵＩＤフィールドＦ２には、音声入力を行った利用者の識別情報ＵＩＤが、利用者情報テーブルＴＢＬ１１を参照することにより記録される。
kindフィールドＦ３には、図１１に示すボイスマスターテーブルＴＢＬ１５を参照し、音声入力の種類に対応した数値が記録される。ボイスマスターテーブルＴＢＬ１５には、基本プロフボイス１〜１０、追加プロフボイス１〜１０、フリーボイス、イベントボイスという音声入力の種類に応じて、１から順に数値が割り当てられている。基本プロフボイス１〜１０は、基本質問項目１〜１０に対応しており、追加プロフボイス１〜１０は、追加質問項目１〜１０に対応している。
日時フィールドＦ４には、音声入力を行った日時が記録される。位置情報フィールドＦ５には、端末装置２における位置情報取得機能を有効にした場合には、音声入力を行った位置の位置情報が記録される。位置情報取得機能が無効の場合には、位置情報フィールドＦ５には、nullが記録される。ファイル格納先フィールドＦ６には、音声入力データの格納先のＵＲＬ等が記録される。
このようにして各音声入力を管理することにより、所定の利用者が、所定の質問項目等に回答済みかどうかを確認することができる。
【００４９】
＜２−５：ボイスプロフページ＞
次に、図５に示すトップページＰ１、あるいは、ボイス一覧ページ等における投稿ボイス表示バナー等に表示される利用者のプロフィール画像を押下した際に表示されるボイスプロフページについて説明する。
図１２及び図１３にボイスプロフページＰ４の一例を示す。このボイスプロフページＰ４は、利用者本人のプロフィールページＰ３が他の利用者の端末装置２で表示されるページである。ボイスプロフページＰ４に表示される項目は、基本的にはマイプロフページＰ３と同様であるが、設定項目は表示されない。本実施形態では、ボイスプロフページＰ４を図１２と図１３に分けて表示している。なお、図１２及び図１３にはボイスプロフページＰ４の全体を示しているが、端末装置２の表示部には、その表示部の大きさに応じてボイスプロフページＰ４の一部が表示され、スクロールを行うことにより、ボイスプロフページＰ４の他の部分を表示させることができる。
ボイスプロフページＰ４は、図７に示す全項目入力済みの新規登録ページＰ２で登録ボタンＢ１５を押下した場合、あるいは、図５に示すトップページＰ１等で、投稿ボイス表示バナー等に表示される利用者のプロフィール画像を押下することにより表示される。
ボイスプロフページＰ４は、タイトル表示領域Ｄ１、プロフィール表示領域Ｄ２、お気に入りボタンＤ３、ブロックボタンＤ４、プロフＩＤ表示領域Ｄ５、ＵＲＬ表示領域Ｄ６、基本プロフボイス表示領域Ｄ７、追加プロフボイス表示領域Ｄ８、投稿ボイス表示領域Ｄ９、及び、トップページＰ１等と共通のメニューバーＡ８を備えている。
【００５０】
タイトル表示領域Ｄ１には、そのページのタイトルが表示される。図１２に示す例では、ボイスプロフィールを略した「ボイスプロフ」の文字が表示されている。
プロフィール表示領域Ｄ２には、プロフィール画像Ｄ１０、ニックネーム表示Ｄ１１、テキストによるプロフィール表示Ｄ１２が表示される。プロフィール画像Ｄ１０、ニックネーム表示Ｄ１１、及び、テキストによるプロフィール表示Ｄ１２は、図７に示す新規登録ページＰ２で設定した内容がそのまま用いられる。
お気に入りボタンＤ３が押下されると、当該利用者のボイスプロフがお気に入り一覧ページ（図示せず）に登録される。お気に入り一覧ページは、メニューバーＡ８のお気に入りアイコンＡ１６が押下された場合に表示される。
ブロックボタンＤ４が押下されると、当該利用者はブロックされ、当該利用者の端末装置２から、ブロックした利用者のマイプロフページＰ４や投稿ボイス表示バナーＤ３０が表示されなくなる。ブロックした利用者の一覧ページ（図示せず）は、図９に示すマイプロフページＰ３のブロックリストバナーＣ４３が押下された場合に表示される。
【００５１】
以下、プロフＩＤ表示領域Ｄ５、ＵＲＬ表示領域Ｄ６、基本プロフボイス表示領域Ｄ７、追加プロフボイス表示領域Ｄ８、投稿ボイス表示領域Ｄ９、及び、メニューバーＡ８における表示内容は、基本的にマイプロフページＰ３と同様である。
プロフＩＤ表示領域Ｄ５には、図７に示す新規登録ページＰ２で設定したプロフＩＤが表示され、ＵＲＬ表示領域Ｄ６には、当該プロフＩＤを一部に含むボイスプロフページのＵＲＬが表示される。当該ＵＲＬにアクセスすることにより、音声プロフィールサービスに登録していない場合でも、ボイスプロフページを閲覧できるようになっている。但し、当該ＵＲＬ経由で表示されるボイスプロフページにおいては、基本プロフボイスの再生のみが可能で、他の音声は再生できないようになっている。
【００５２】
基本プロフボイス表示領域Ｄ７には、図７に示す新規登録ページＰ２で入力した基本質問項目に対応する基本質問項目表示バナーＤ１３が表示される。図１２には基本質問項目の一部しか表示されていないが、画面をスクロールすることにより、残りの基本質問項目も表示されるようになってい。また、基本質問項目表示バナーＤ１３には、質問項目表示Ｄ１４、いいね数表示Ｄ１５、コメント数表示Ｄ１６、再生ボタンアイコンＤ１７、及び、再生回数表示Ｄ１８が表示される。図８に示す基本質問項目表示バナーＤ１３の再生ボタンアイコンＤ１７は、対応する質問項目に対する回答を再生可能であることを示している。基本質問項目表示バナーＤ１３のそれぞれを押下することにより、後述するボイスページにジャンプし、質問項目表示Ｄ１４の質問項目に対する音声による回答を再生することが可能になっている。
追加プロフボイス表示領域Ｄ８には、音声による回答を行った追加の質問項目のみが表示されるようになっている。図１２には追加質問項目の一部しか表示されていないが、画面をスクロールすることにより、残りの追加質問項目も表示されるようになってい。また、追加質問項目表示バナーＤ２０には、追加質問項目表示Ｄ２１、いいね数表示Ｄ２２、コメント数表示Ｄ２３、再生ボタンアイコンＤ２４、及び、再生回数表示Ｄ２５が表示される。
後述するように、ボイスプロフページＰ４を表示する際には、ボイスプロフページＰ４に表示される利用者だけでなく、当該ボイスプロフページＰ４を表示するように要求した他の利用者が、追加質問項目に回答を行ったか否かについての情報を管理サーバ１から受信するようになっている。
したがって、当該ボイスプロフページＰ４を表示するように要求した他の利用者が、どの追加質問項目に対して回答済みで、どの追加質問項目には未回答なのかは、ボイスプロフページＰ４を表示する際にわかるようになっている。
そこで、当該ボイスプロフページＰ４を表示するように要求した他の利用者が回答済みの追加質問項目については、再生ボタンアイコンＤ１７と同様の態様の再生ボタンアイコンＤ２４を表示させ、未答済みの追加質問項目について、図１２に示すような態様の再生不可であることを示す再生ボタンアイコンＤ２４を表示させる。
つまり、ボイスプロフページＰ４における追加質問項目表示バナーＤ２０に表示される再生ボタンアイコンＤ２４の表示態様は、当該ボイスプロフページＰ４を表示するように要求した他の利用者が、当該追加質問項目に回答済みかどうかで変わることになる。
再生ボタンアイコンＤ１７と同様の態様の再生ボタンアイコンＤ２４が表示されている追加質問項目表示バナーＤ２０については、それぞれの追加質問項目表示バナーＤ２０を押下することにより、後述するボイスページにジャンプし、追加質問項目表示Ｄ２１の追加質問項目に対する音声による回答を再生することが可能になっている。
【００５３】
図１３に示す投稿ボイス表示領域Ｄ９には、投稿ボイス表示バナーＤ３０、投稿テーマ表示Ｄ３１、いいね数表示Ｄ３２、コメント数表示Ｄ３３、再生ボタンアイコンＤ３４、再生回数表示Ｄ３５が表示される。投稿ボイス表示領域Ｄ９には、音声による入力を行った投稿ボイスのみが表示されるようになっている。図１３には投稿ボイスの一部しか表示されていないが、画面をスクロールすることにより、残りの投稿ボイスも表示されるようになってい。また、投稿ボイス表示バナーＤ３０には、投稿テーマ表示Ｄ３１、いいね数表示Ｄ３２、コメント数表示Ｄ３３、再生ボタンアイコンＤ３４、及び、再生回数表示Ｄ３５が表示される。図１３に示す投稿ボイス表示バナーＤ３０の再生ボタンアイコンＤ３４は、対応する質問項目に対する回答を再生可能であることを示している。投稿ボイス表示バナーＤ３０のそれぞれを押下することにより、後述するボイスページにジャンプし、投稿テーマ表示Ｄ３１のテーマに対する音声による回答を再生することが可能になっている。
【００５４】
投稿ボイス表示領域Ｄ９には、最新の投稿から順に１０件の投稿ボイスのリストが表示されるようになっており、投稿ボイスが１１件以上ある場合には、図１３に示すように、投稿ボイス表示領域Ｄ９の下方に、もっと見るボタンＤ３６が表示される。もっと見るボタンＤ３６が押下されると、１１件以降の投稿ボイスのリストが表示される。
ボイスプロフページＰ４の最下部には、トップページＰ１等と共通のメニューバーＡ８が表示される。メニューバーＡ８は、プロフアイコンＡ１５、ボイスアイコンＡ１６、お気に入りアイコンＡ１７、お知らせアイコンＡ１８、及び、マイプロフアイコンＡ１９を備えている。それぞれのアイコンが押下された際のジャンプ先のページはトップページＰ１等と同様である。
【００５５】
＜２−６：ボイスページ＞
次に、以上のようなボイスプロフページＰ４において、基本質問項目表示バナーＤ１３、追加質問項目表示バナーＤ２０、あるいは、投稿ボイス表示バナーＤ３０が押下された際に表示されるボイスページについて説明する。
図１４にボイスページＰ５の一例を示す。なお、図１４にはボイスページＰ５の全体を示しているが、端末装置２の表示部には、その表示部の大きさに応じてボイスページＰ５の一部が表示され、スクロールを行うことにより、ボイスページＰ５の他の部分を表示させることができる。
ボイスページＰ５は、タイトル表示領域Ｅ１、プロフィール表示領域Ｅ２、再生ボイス操作領域Ｅ３、コメント表示領域Ｅ４、コメント投稿領域Ｅ５、及び、トップページＰ１等と共通のメニューバーＡ８を備えている。
【００５６】
タイトル表示領域Ｅ１には、そのページのタイトルが表示される。図１４に示す例では、「ボイス」の文字が表示されている。
プロフィール表示領域Ｅ２には、プロフィール画像Ｅ１０、ニックネーム表示Ｅ１１、矢印アイコンＥ１２が表示される。矢印アイコンＥ１２が押下されると、図１２及び図１３に示すボイスプロフページＰ４が表示されるようになっている。プロフィール画像Ｅ１０、及び、ニックネーム表示Ｅ１１は、図７に示す新規登録ページＰ２で設定した内容がそのまま用いられる。
【００５７】
再生ボイス操作領域Ｅ３には、質問事項または投稿テーマ表示Ｅ２０、再生ボタンＥ２１、再生ゲージＥ２２、再生回数表示Ｅ２３、いいね表示Ｅ２４、いいね数表示Ｅ２５、コメント表示Ｅ２６、コメント数表示Ｅ２７、お気に入りボタンＥ２８、不適切コンテンツ報告バナーＥ２９を備えている。
質問事項または投稿テーマ表示Ｅ２０には、図１２及び図１３に示す基本質問項目表示バナーＤ１３、追加質問項目表示バナーＤ２０、あるいは、投稿ボイス表示バナーＤ３０に対応する基本質問項目、追加質問項目、または、投稿テーマのいずれかが表示される。
再生ボタンＥ２１が押下されると、入力済みの音声が再生される。再生ゲージＥ２２には、再生時間の経過に伴ってゲージが動的に表示される。再生回数表示Ｅ２３には、再生が行われた回数が累積されて表示される。
【００５８】
いいね表示Ｅ２４が押下されると、いいね数表示Ｅ２５のいいね数が累積されて表示される。また、いいね数Ｅ２５が押下された場合に、いいねが押下されたボイスの一覧を表示させるようにしてもよい。
コメント表示Ｅ２６が押下されると、後述するコメント投稿領域Ｅ５まで画面がスクロールされ、コメントの入力と投稿が可能となる。また、コメント投稿が完了すると、コメント数表示Ｅ２７のコメント数が累積されて表示される。
お気に入りボタンＥ２８が押下されると、当該利用者のボイスがお気に入り一覧ページ（図示せず）に登録される。お気に入り一覧ページは、メニューバーＡ８のお気に入りアイコンＡ１７が押下された場合に表示される。
不適切コンテンツ報告バナーＥ２９が押下されると、当該ボイスが不適切なコンテンツであるとして、管理サーバ１に報告が行われる。なお、この際、テキスト入力が可能な画面を表示させ、どういう点が不適切なのかを入力させるようにしてもよい。
【００５９】
コメント表示領域Ｅ４は、コメントを投稿した利用者のプロフィール画像Ｅ３０、当該利用者のニックネーム表示Ｅ３１、及び、投稿したコメント表示Ｅ３２を備えている。なお、利用者本人が投稿したコメントには、削除ボタンを表示させて、コメントを削除できるようにしてもよい。コメント表示領域Ｅ４には１０件までのコメントが表示され、コメントが１１件以上の場合には、コメント表示領域Ｅ４の下部にもっと見るボタンＥ３３が表示される。もっと見るボタンＥ３３を押下することにより、１１件以降のコメントを見ることができる。
、コメント投稿領域Ｅ５には、コメント投稿欄Ｅ４０と、送信ボタンＥ４１が表示される。コメント投稿欄Ｅ４０にコメントが入力され、送信ボタンＥ４１が押下されることにより、当該コメントがコメント表示領域Ｅ４に表示されることになる。なお、コメント投稿領域Ｅ５が押下された場合に、コメント入力画面を表示させるようにしてもよい。
ボイスプロフページＰ４の最下部には、トップページＰ１等と共通のメニューバーＡ８が表示される。メニューバーＡ８は、プロフアイコンＡ１５、ボイスアイコンＡ１６、お気に入りアイコンＡ１７、お知らせアイコンＡ１８、及び、マイプロフアイコンＡ１９を備えている。それぞれのアイコンが押下された際のジャンプ先のページはトップページＰ１等と同様である。
なお、ボイスログテーブルＴＢＬ１３の位置情報フィールドＦ５に位置情報が記録されているボイスの場合には、お気に入りボタンＥ２８と不適切コンテンツ報告バナーＥ２９の間の表示領域に、当該位置情報に基づく地図表示を行うようにしてもよい。
【００６０】
＜２−７：再生制限処理＞
本実施形態では、図１２に示す基本プロフボイス一覧表示領域Ｄ７に表示される基本質問項目への音声による回答を完了させることは、音声プロフィールサイトへの会員登録を行う際の条件になっているので、全ての利用者が音声による回答を完了させている。
しかしながら、追加プロフボイス一覧表示領域Ｄ８に表示される追加質問項目については、回答が任意であり、回答を行っていない利用者も存在する。
そこで、本実施形態では、追加質問項目に対する回答を促進するために、他の利用者の追加質問項目に対する回答を再生しようとした際に、利用者本人が当該追加質問項目に対する回答を未だ行っていない場合には、当該追加質問項目に対する回答の登録を促す表示を行い、当該追加質問項目に対する回答の再生を制限するように構成している。
【００６１】
以下、本実施形態の再生制限処理を図１６及び図１７を参照して説明する。まず、図５に示すトップページＰ１、あるいは、ボイス一覧ページ等における投稿ボイス表示バナー等に表示される所定の利用者のプロフィール画像が押下されると、端末装置２のＣＰＵ４０は、当該所定の利用者の識別情報ＵＩＤ、及び、当該端末装置２の利用者の識別情報ＵＩＤのと共に、管理サーバ１に対してボイスプロフページＰ５の表示要求を送信する（Ｓ２００）。
つまり、端末装置２のＣＰＵ４０は、ボイスプロフページＰ５に表示される利用者（以下、利用者Ａとする）の識別情報ＵＩＤだけでなく、当該ボイスプロフページＰ５の表示を要求した利用者（以下、利用者Ｂとする）の識別情報ＵＩＤについても管理サーバ１に送信する。
ボイスプロフページの表示要求、前記利用者Ａの識別情報ＵＩＤ、及び、前記利用者Ｂの識別情報ＵＩＤとを受信した管理サーバ１のＣＰＵ３０は、利用者情報テーブルＴＢＬ１１から前記利用者Ａの識別情報ＵＩＤに一致するレコードを検索し、ボイスプロフページの表示に必要なニックネーム、プロフＩＤ等の情報を抽出する。また、ボイスログテーブルＴＢＬ１３から前記利用者Ａの識別情報ＵＩＤに一致するレコードを利用者Ａログデータとして抽出する。
さらに、当該利用者Ａログデータの中から、追加質問項目に対応するkind（図１１のボイスマスターテーブルＴＢＬ１５において、１１〜２０）を抽出する。
そして、前記利用者Ｂの識別情報ＵＩＤに一致するレコードをボイスログテーブルＴＢＬ１３から抽出し、当該レコードの中に、先に抽出した利用者Ａの追加質問項目に対応するkindと一致するkindがあるか否かを判断する。
利用者Ａの追加質問項目に対応するkindと一致するkindが、利用者Ｂのレコードの中に含まれている場合には、利用者Ａが回答した追加質問項目について、利用者Ｂも回答済みであることがわかる。しかし、利用者Ａの追加質問項目に対応するkindと一致するkindが、利用者Ｂのレコードの中に含まれていない場合には、利用者Ａが回答した追加質問項目について、利用者Ｂは未回答であることがわかる。
このようにして、利用者Ａが回答した追加質問項目のそれぞれについて、利用者Ｂが回答済みであるか、または、未回答であるかの情報を、利用者Ａが回答した追加質問項目に紐付け、利用者Ｂ回答情報として一時的に記憶しておく。
そして、管理サーバ１のＣＰＵ３０は、利用者Ａのニックネーム等の情報、利用者Ａログデータ、及び、利用者Ｂ回答情報と共に、ボイスプロフページ閲覧応答を送信する（Ｓ１００）。
ボイスプロフページ閲覧応答を受信した端末装置２のＣＰＵ４０は、受信した情報に基づいて、ボイスプロフページＰ５を表示する。この際、端末装置２のＣＰＵ４０は、利用者Ｂ回答情報を受信しているので、利用者Ｂが、どの追加質問項目について回答済みで、どの追加質問項目について未回答なのかが分かっている。
そこで、ボイスプロフページＰ５を表示する際に、利用者Ｂが未回答の追加質問項目については、図１２に示すように再生不可の態様（図１２の例では十字型マークを含む態様）の再生ボタンアイコンＤ２４を表示させる。一方、利用者Ｂが回答済みの追加質問項目については、図１２に示す再生ボタンアイコンＤ１７のような態様（図１２の例では三角形マークを含む態様）の再生ボタンアイコンＤ２４を表示させる。以上のようにして、ボイスプロフページＰ４を表示させる。
次に、いずれかの質問項目あるいは投稿ボイス等の表示バナーが押下され、端末装置２のＣＰＵ４０が、ボイスの再生要求があったことを検知すると（Ｓ２０１）、端末装置２のＣＰＵ４０は、再生要求の対象が追加質問項目かどうかを判定する（Ｓ２０２）。
基本質問項目表示バナーＤ１３及び追加質問項目表示バナーＤ２０には、ボイスＩＤが関連付けられており、かつ、ボイスマスターテーブルＴＢＬ１５に記録されたkindの値が関連付けられている。そこで、端末装置２のＣＰＵ４０は、押下された表示バナーに関連付けられているボイスＩＤとkindの値とを読み取り、当該読み取ったkindの値に基づいてボイスの種類を判定する。この判定の結果、ボイスの種類が追加プロフボイスでは無かった場合には（Ｓ２０２；ＮＯ）、端末装置２のＣＰＵ４０は、当該ボイスＩＤのボイスデータを管理サーバ１に要求する（Ｓ２０４）。この要求を受けた管理サーバ１のＣＰＵ３０は、当該ボイスＩＤに紐付けられたレコードから格納先のＵＲＬを読み取り、読み取ったボイスデータを端末装置２に送信する（Ｓ１０１）。ボイスデータを受信した端末装置２のＣＰＵ４０は、当該ボイスの再生を行う（Ｓ２０５）。このようにして、利用者Ｂは、利用者Ａが入力した音声を聞くことができる。
一方、ボイスの種類判定の結果、ボイスの種類が追加プロフボイスだった場合には（Ｓ２０２；ＹＥＳ）、当該読み取ったkindの値に基づいて、受信した利用者Ｂ回答情報を検索し、当該追加質問事項に対して利用者Ｂが回答済みかどうかを判断する（Ｓ２０３）。なお、この判断は、再生ボタンアイコンＤ２４を表示させる際にも行っているので、その際にフラグ等を用いて判断の結果を記憶しておき、ボイス再生要求があった際にその記憶しておいた情報を用いて利用者Ｂが回答済みかどうかを判断するようにしてもよい。
利用者Ｂが回答済みの場合には（Ｓ２０３；ＹＥＳ）、該当するボイスデータの送信要求を端末装置２から管理サーバ１に送信する（Ｓ２０４）。この要求を受けた管理サーバ１のＣＰＵ３０は、当該ボイスＩＤに紐付けられたレコードから格納先のＵＲＬを読み取り、読み取ったボイスデータを端末装置２に送信する（Ｓ１０１）。ボイスデータを受信した端末装置２のＣＰＵ４０は、当該ボイスの再生を行う（Ｓ２０５）。このようにして、利用者Ｂは、利用者Ａが入力した追加質問項目に対する回答の音声を聞くことができる。
【００６２】
しかし、利用者Ｂが当該追加質問項目に未回答であると判断した場合には（Ｓ２０３；ＮＯ）、図１７に示すように、端末装置２のＣＰＵ４０は、図１５に示すようなアラートビューＰ６をボイスページＰ５上にポップアップ表示させる（Ｓ２０６）。
アラートビューＰ６は、図１５に示すように、回答の登録を促すメッセージＧ１と、あとでボタンＧ２と、登録ボタンＧ３を備えている。あとでボタンＧ２が押下された場合には、録音を後で行うと判定して（Ｓ２０７；ＮＯ）、処理を終了する。
しかし、登録ボタンＧ３が押下された場合には、録音が行われると判定し（Ｓ２０７；ＹＥＳ）、図８に示すマイプロフページＰ３の追加プロフボイス一覧表示領域Ｃ７を表示させ、追加プロフボイス一覧表示領域Ｃ７に該当する追加質問項目の追加質問項目表示バナーＣ２０を表示させる（Ｓ２０８）。
当該追加質問項目表示バナーＣ２０が押下されると、音声の入力画面が表示され、録音ボタンを押下することにより、当該追加質問に対する音声による回答の録音が行われる（Ｓ２０９）。端末装置２のＣＰＵ４０は、録音した音声データを管理サーバ１に投稿する（Ｓ２１０）。
音声データを受信した管理サーバ１のＣＰＵ３０は、当該音声データに対してボイスＩＤを付与し、利用者の識別情報ＵＩＤ、kindの数値、日時、ファイルの格納先をボイスログテーブルＴＢＬ１３に記録する（Ｓ１０２）。位置情報がある場合には、位置情報についても記録する。また、端末装置２のＣＰＵ４０も、当該追加質問項目に対して回答済みとするように利用者Ｂ回答情報を更新する。
次に、管理サーバ１のＣＰＵ３０は、当該追加質問についてのログ記録が完了した旨の情報と共に、マイプロフ画面の表示応答を端末装置２０に送信する。マイプロフ画面の表示応答を受信した端末装置２０のＣＰＵ４０は、更新した利用者Ｂ回答情報に基づいて、当該追加質問についての図８に示す録音状態表示アイコンＣ２４を録音状態表示アイコンＣ１８に変更するように表示態様を制御し、マイプロフ画面を表示させる（Ｓ２１１）。
【００６３】
以上のように本実施形態によれば、追加質問事項については、利用者本人が入力済みの項目についてのみ、他の利用者の当該追加質問事項についての回答を聞くことができるようにしたので、当該他の利用者の回答を聞きたいと思う利用者は、追加質問事項のうちの未入力項目についての入力を行うことが期待されるので、音声プロフィールサイトの利用の促進が図られることになる。
【００６４】
＜第２実施形態＞
図１８を参照して、本発明の第２実施形態について説明する。図１８に示すサービス提供システム１００Ａは、端末装置２Ａが記憶部２５を備えている点が第１実施形態のサービス提供システム１００と異なる。
本実施形態においては、端末装置２ＡのＣＰＵ４０は、利用者本人が、図８に示すマイプロフ画面Ｐ３の追加プロフボイス一覧表示領域Ｃ７に表示される追加質問項目について音声により入力を行った場合には、音声入力が行なわれた旨、及び、その音声データを管理サーバ１に送信する。管理サーバ１においては、受信した音声データについてボイスＩＤを付与し、利用者の識別情報ＵＩＤ、kindの数値、日時、ファイルの格納先をボイスログテーブルＴＢＬ１３に記録する。ここまでは、第１実施形態と同様である。
本実施形態においては、端末装置２ＡのＣＰＵ４０は、少なくともkindの数値、及び、日時を記憶部２５に、例えば端末装置ログテーブルとして記憶しておく。
そして、利用者本人（利用者Ｂ）により、図１２に示すような他の利用者（利用者Ａ）のボイスプロフの表示要求が行われた場合には、管理サーバ１に問い合わせることなく、端末装置ログテーブルに基づいて、利用者Ａが回答した追加質問項目について回答済みであるかどうかを判断し、その判断結果に応じて再生ボタンアイコンＤ２４の表示態様を決定する。
また、利用者本人（利用者Ｂ）が、図１２に示すような他の利用者（利用者Ａ）のボイスプロフにおいて、追加プロフボイス一覧表示領域Ｄ８に表示される追加質問項目のうちの所定の追加質問項目のバナーを押下した場合には、端末装置２ＡのＣＰＵ４０は、記憶部２５の端末装置ログテーブルを参照して、当該所定の追加質問項目に対して利用者本人（利用者Ｂ）が回答済みであるかどうかを確認する。当該所定の追加質問項目に対応するkindのレコードが端末装置ログテーブルに記録されている場合には、当該所定の追加質問項目に対して利用者本人（利用者Ｂ）が回答済みであると判断されるので、当該所定の追加質問項目の応答のボイスデータを管理サーバ１から取得する。そして、ボイスページを表示させて、当該所定の追加質問項目の応答を再生させる。
しかしなから、当該所定の追加質問項目に対応するkindのレコードが端末装置ログテーブルに記録されていない場合には、当該所定の追加質問項目に対して利用者本人（利用者Ｂ）が未回答であると判断されるので、図１５に示すようなアラートビューＰ６を表示させる。
その他の処理等については、第１実施形態と同様にすればよい。
このように、本実施形態によれば、所定の追加質問項目に対して利用者本人が回答済みかどうかの判断を、管理サーバ１に問い合わせることなく行うことができる。
なお、端末装置ログテーブルは、予め全ての追加質問項目に対してレコードを作成しておき、回答の有無に応じてフラグを立てるようにしてもよい。また、利用者本人が追加質問項目に対する回答として入力した音声のデータを端末装置２Ａの記憶部２５に記憶させておき、当該音声データの有無によって、追加質問項目に対して利用者本人が回答済みか未回答かを判断するようにしてもよい。
【００６５】
＜第３実施形態＞
図１９を参照して、本発明の第３実施形態について説明する。図１９に示すサービス提供システム１００Ｂは、端末装置２Ｂが制御部を備えておらず、管理サーバ１Ａが制御部１３を備えているいる点が第１実施形態のサービス提供システム１００と異なる。
本実施形態は、管理サーバ１の指示に従って、端末装置側のグラフィックコンポーネントを使用して各ページを表示する例である。
本実施形態においては、トップページＰ１、新規登録時ページＰ２、マイプロフページＰ３、ボイスプロフページＰ４、ボイスページＰ５、アラートビューＰ６等のあらゆる表示情報は、管理サーバ１の制御部１３において生成され、管理サーバ１の指示に従って、端末装置側のグラフィックコンポーネントを使用して表示される。
つまり、上述した第１実施形態及び第２実施形態においては、再生要求のあった追加質問項目に対してその応答の再生が可能な場合にはボイスページを表示させ、再生ボタンを操作可能に表示させると共に、再生要求のあった追加質問項目に対してその応答の再生が不可の場合にはアラートビューを表示させて再生できないようにしている。つまり、上述した第１実施形態及び第２実施形態においては、再生要求のあった追加質問項目に対してその応答の再生を行わせるかどうかの制御は、端末装置２，２Ａの制御部２５によって行われている。
しかしながら、本実施形態においては、全ての表示情報は管理サーバ１の制御部１３によって生成されるので、再生要求のあった追加質問項目に対してその応答の再生を行わせるかどうかの制御は、管理サーバ１の制御部１３によって行われている。
本実施形態においては、端末装置２ＢのＣＰＵ４０は、利用者本人が、図８に示すマイプロフ画面Ｐ３の追加プロフボイス一覧表示領域Ｃ７に表示される追加質問項目について音声により入力を行った場合には、音声入力が行なわれた旨、及び、その音声データを管理サーバ１に送信する。管理サーバ１においては、受信した音声データについてボイスＩＤを付与し、利用者の識別情報ＵＩＤ、kindの数値、日時、ファイルの格納先をボイスログテーブルＴＢＬ１３に記録する。ここまでは、第１実施形態と同様である。
そして、利用者本人（利用者Ｂ）により、図１２に示すような他の利用者（利用者Ａ）のボイスプロフの表示要求が行われた場合には、端末装置２ＡのＣＰＵ４０は、ボイスプロフの表示要求を管理サーバ１に送信する。この表示要求を受けた管理サーバ１のＣＰＵ３０は、利用者情報テーブルＴＢＬ１１から前記利用者Ａの識別情報ＵＩＤに一致するレコードを検索し、ボイスプロフページの表示に必要なニックネーム、プロフＩＤ等の情報を抽出する。また、ボイスログテーブルＴＢＬ１３から前記利用者Ａの識別情報ＵＩＤに一致するレコードを利用者Ａログデータとして抽出する。
さらに、当該利用者Ａログデータの中から、追加質問項目に対応するkind（図１１のボイスマスターテーブルＴＢＬ１５において、１１〜２０）を抽出する。
そして、前記利用者Ｂの識別情報ＵＩＤに一致するレコードをボイスログテーブルＴＢＬ１３から抽出し、当該レコードの中に、先に抽出した利用者Ａの追加質問項目に対応するkindと一致するkindがあるか否かを判断する。
利用者Ａの追加質問項目に対応するkindと一致するkindが、利用者Ｂのレコードの中に含まれている場合には、利用者Ａが回答した追加質問項目について、利用者Ｂも回答済みであることがわかる。しかし、利用者Ａの追加質問項目に対応するkindと一致するkindが、利用者Ｂのレコードの中に含まれていない場合には、利用者Ａが回答した追加質問項目について、利用者Ｂは未回答であることがわかる。
このようにして、利用者Ａが回答した追加質問項目のそれぞれについて、利用者Ｂが回答済みであるか、または、未回答であるかの情報を、利用者Ａが回答した追加質問項目に紐付け、利用者Ｂ回答情報として一時的に記憶しておく。
そして、管理サーバ１のＣＰＵ３０は、利用者Ａのニックネーム等の情報、利用者Ａログデータ、及び、利用者Ｂ回答情報に基づいて、ボイスプロフページＰ５の表示情報を生成する。特に、利用者Ｂが未回答の追加質問項目については、図１２に示すように再生ボタンアイコンＤ２４の表示態様を再生不可の態様（図１２の例では十字型マークを含む態様）に決定する。一方、利用者Ｂが回答済みの追加質問項目については、再生ボタンアイコンＤ２４の表示態様を図１２に示す再生ボタンアイコンＤ１７のような態様（図１２の例では三角形マークを含む態様）に決定する。以上のようにして、ボイスプロフページＰ４の表示情報を生成する。
そして、端末装置２ＢのＣＰＵ４０は、管理サーバ１の指示に従って、端末装置２Ｂ側のグラフィックコンポーネントを使用してボイスプロフページＰ４を表示する。
また、利用者本人（利用者Ｂ）が、図１２に示すような他の利用者（利用者Ａ）のボイスプロフにおいて、追加プロフボイス一覧表示領域Ｄ８に表示される追加質問項目のうちの所定の追加質問項目のバナーを押下した場合には、端末装置２ＡのＣＰＵ４０は、当該所定の追加質問項目についての再生要求を管理サーバ１に送信する。
再生要求を受信した管理サーバ１のＣＰＵ３０は、前記利用者Ｂ回答情報を参照して当該所定の追加質問項目について利用者本人（利用者Ｂ）が回答済みかどうかを判断する。回答済みと判断した場合にはボイスページの表示情報を生成し、端末装置２Ｂに送信する。また、未応答と判断した場合には、アラートビューの表示情報を生成し、端末装置２Ｂに送信する。
このように、本実施形態によれば、利用者本人に対する所定の追加質問項目の応答内容を提示可能とするかどうかの制御を管理サーバ１において行うことができる。
その他の処理等については、第１実施形態と同様にすればよい。
【００６６】
＜変形例＞
本発明は、上述した各実施形態に限定されるものではなく、以下に述べる各種の変形が可能である。また、各変形例及び各実施形態は、適宜、組み合わせてもよいことは勿論である。
【００６７】
上述した実施形態では、音声プロフィールサイトにおいて、プロフィール項目の入力を音声で行う場合について説明したが、本発明はこのような例に限定されるものではなく、例えば、テキスト等により入力を行う場合にも適用可能である。
また、本発明は、プロフィールサイトに適用する場合に限定されるものではなく、広く質問に対する回答を行う場合、あるいは、所定のテーマに対して利用者が意見等を表明するような場合にも適用可能である。
【００６８】
また、上述した実施形態においては、追加質問等に対する回答が完了しているか否かを、録音状態表示アイコンの表示態様を変更することによって表現したが、本発明はこのような例に限定されるものではない。例えば、録音状態表示アイコンの代わりに、回答が完了している追加質問事項等においては再生ボタンアイコンを表示させ、回答が完了していない追加質問事項等においては再生ボタンアイコンを表示させないようにしてもよい。
【００６９】
また、図１２に示す追加プロフボイス表示領域Ｄ８には全ての追加質問項目が表示され、その中で、回答してある追加質問項目表示バナーＤ２０については、いいね表示Ｄ２２、コメント数表示Ｄ２３、再生ボタンアイコンＤ２４、再生回数表示Ｄ２５が表示され、回答していない追加質問項目表示バナーＤ２０については、追加質問項目Ｄ２１のみが表示されるようにしてもよい。このようにすれば、回答してしてある項目と、回答していない項目とを区別して表示できる。
【００７０】
上述した実施形態においては、基本質問項目表示バナー、追加質問項目表示バナー、あるいは投稿ボイス表示バナーをリスト化して表示するようにしたが、その並び順は、新しい順、もしくは、いいね数が多い等の評価が高い順にしてもよい。
【００７１】
さらに、上述した実施形態においては、記憶部１５を管理サーバ１に備える例について説明したが、記憶部１５は、管理サーバ１以外の専用サーバや、他のサービスと兼用したサーバで管理する、所謂クラウドの態様であってもよい。
【００７２】
また、上述した実施形態においては、端末装置２にネイティブアプリケーションをインストールして各ページ等を表示させる例について説明したが、表示情報を管理サーバ１において生成し、端末装置２で起動させたブラウザ等により、当該表示情報に基づいて各ページ等を表示させるようにしてもよい。
【００７３】
なお、上述した実施形態においては、基本質問項目は音声プロフィールサービスへの会員登録の条件としたが、基本質問項目についての回答の再生は、会員登録していない者にも許可するようにしてもよい。つまり、基本質問項目のような特定テーマについては、当該特定テーマに対する回答の入力の有無に拘わらず、再生を許可するようにしてもよい。
【００７４】
なお、本発明は上述の各実施形態及び変形例に限定されるものではなく、本発明の趣旨の範囲内での変更は本発明に含まれるものである。  
【符号の説明】
【００７５】
ＮＥＴ……通信網、１……管理サーバ、２，２Ａ，２Ｂ……端末装置、１１……取得部、１２……管理部、１３……制御部、１５……記憶部、２１……入力部、２３……表示部、２４……制御部、２５……記憶部。
【図１】
2014032448.tif 000003
【図２】
2014032448.tif 000004
【図３】
2014032448.tif 000005
【図４】
2014032448.tif 000006
【図５】
2014032448.tif 000007
【図６】
2014032448.tif 000008
【図７】
2014032448.tif 000009
【図８】
2014032448.tif 000010
【図９】
2014032448.tif 000011
【図１０】
2014032448.tif 000012
【図１１】
2014032448.tif 000013
【図１２】
2014032448.tif 000014
【図１３】
2014032448.tif 000015
【図１４】
2014032448.tif 000016
【図１５】
2014032448.tif 000017
【図１６】
2014032448.tif 000018
【図１７】
2014032448.tif 000019
【図１８】
2014032448.tif 000020
【図１９】
2014032448.tif 000021